(57)【要約】【課題】所定の領域毎に明るさを制御することにより、余分な消費電力を抑制して省エネルギー化を図って環境負荷を少なくできるＬＥＤ照明器具を提供する。【解決手段】ＬＥＤ照明器具１０は、複数のＬＥＤユニット１３、１４、１５、１６およびリモコン受信部を備え、リモコン受信部の出力に基づいて複数のＬＥＤユニット１３、１４、１５、１６のうちの所定領域のＬＥＤ１３、１４、１５、１６を調光制御するＬＥＤ照明器具本体１１と、複数のＬＥＤユニット１３、１４、１５、１６のうちの任意の領域のＬＥＤユニット１３、１４、１５、１６を特定し、調光信号を送信するリモコン送信器１８とを備える。【選択図】図１
2012133973.tif 000002
【特許請求の範囲】
【請求項１】
複数のＬＥＤユニットおよびリモコン受信部を備え、前記リモコン受信部の出力に基づいて前記複数のＬＥＤユニットのうちの所定領域の前記ＬＥＤユニットを調光制御するＬＥＤ照明器具本体と、
前記複数のＬＥＤユニットのうちの任意の領域の前記ＬＥＤユニットを特定し、調光信号を送信するリモコン送信器とを備えるＬＥＤ照明器具。
【請求項２】
請求項１に記載のＬＥＤ照明器具において、
前記リモコン送信器は、任意の領域の前記ＬＥＤユニットを特定するための複数の主ボタンを備え、前記主ボタンは、放射状に配置されるＬＥＤ照明器具。
【請求項３】
請求項１または請求項２に記載のＬＥＤ照明器具において、
前記主ボタンの中央部に、前記主ボタンとは独立した副ボタンを備えるＬＥＤ照明器具。
【発明の詳細な説明】
【技術分野】
【０００１】
本発明は、光源として複数のＬＥＤユニットを装備するＬＥＤ照明器具に関する。
【背景技術】
【０００２】
従来より、照明器具に対する最初の電源投入時において、調光制御部における制御目標値を自動判別し、以後その制御目標値になるようにランプの明るさを制御するＬＥＤ照明器具が知られている（例えば、特許文献１参照）。
また、ＬＥＤユニットに供給される電流のオンおよびオフを切り換える第１のスイッチング回路と、ＬＥＤユニットに一定の電流が流れるように第１のスイッチング回路のスイッチング動作を第２のＰＷＭで制御するＰＷＭ制御回路と、ＰＷＭ信号発生回路から出力されるＰＷＭ信号のＰＷＭ波形がハイとなる間に、ＰＷＭ制御回路による第１のスイッチング回路のスイッチング動作をオンにする第２のスイッチング回路とを備えるＬＥＤ照明器具が知られている（例えば、特許文献２参照）。
【先行技術文献】
【特許文献】
【０００３】
【特許文献１】特開２００３−１６８５７３号公報（図１、請求項１）
【特許文献２】特開２００９−２６５４４号公報（図１、請求項１）
【発明の概要】
【発明が解決しようとする課題】
【０００４】
前述した特許文献１に記載されたＬＥＤ照明器具は、初期設定操作において、ＬＥＤ照明器具の電源投入時において、自動的に制御目標値を判別するようにしたので、初期設定の手間を低減することができる。
前述した特許文献２に記載されたＬＥＤ照明器具は、サイリスタ式の調光装置でＬＥＤユニットの調光を制御しようとした場合でも、ＬＥＤユニットの照度を調光の設定に応じて適切に制御できる。
ところで、蛍光灯を光源とし、リモコン送信器からの明るさを制御する信号を受信すると、１つの蛍光灯または２つの蛍光灯の明るさを同時に変更できる照明器具が提案されている。
しかし、このような従来の照明器具において、複数の蛍光灯を個別に制御できないばかりか、光が照射される全部の領域について同時に調光が制御されてしまう。
従って、このような従来の照明器具は、人がいる領域を明るくし、これとは異なり、明るさの不必要な領域は暗くするといった省エネルギー効果を得るための制御ができない。
一方、前述した特許文献１に記載されたＬＥＤ照明器具は、初期設定の手間を低減することができるものの、人がいる領域を明るくし、明るさの不必要な領域は暗くするといった制御ができない。
加えて、前述した特許文献２に記載されたＬＥＤ照明器具は、ＬＥＤユニットの照度を調光の設定に応じて適切に制御できるものの、人がいる領域を明るくし、明るさの不必要な領域は暗くするといった制御ができない。
【０００５】
本発明は、前述した課題を解決するためになされたものであり、所定の領域毎に明るさを制御することにより、余分な消費電力を抑制して省エネルギー化を図って環境負荷を少なくできるＬＥＤ照明器具を提供することにある。
【課題を解決するための手段】
【０００６】
本発明に係るＬＥＤ照明器具は、複数のＬＥＤユニットおよびリモコン受信部を備え、前記リモコン受信部の出力に基づいて前記複数のＬＥＤユニットのうちの所定領域の前記ＬＥＤユニットを調光制御するＬＥＤ照明器具本体と、前記複数のＬＥＤユニットのうちの任意の領域の前記ＬＥＤユニットを特定し、調光信号を送信するリモコン送信器とを備える。
【０００７】
本発明に係るＬＥＤ照明器具は、前記リモコン送信器は、任意の領域の前記ＬＥＤユニットを特定するための複数の主ボタンを備え、前記主ボタンは、放射状に配置される。
【０００８】
本発明に係るＬＥＤ照明器具は、前記主ボタンの中央部に、前記主ボタンとは独立した副ボタンを備える。
【発明の効果】
【０００９】
本発明に係るＬＥＤ照明器具によれば、所定の領域毎に明るさを制御することにより、余分な消費電力を抑制して省エネルギー化を図って環境負荷を少なくできるという効果を奏する。
【図面の簡単な説明】
【００１０】
【図１】本発明に係る一実施形態のＬＥＤ照明器具におけるリモコン送信器の平面図を含む模式的な底面図
【図２】本発明に係る一実施形態のＬＥＤ照明器具における受光ユニット周りの底面図
【図３】本発明に係る一実施形態のＬＥＤ照明器具における受光ユニットの垂直断面図
【図４】本発明に係る一実施形態のＬＥＤ照明器具における第１動作を説明するリモコン送信器の平面図を含む模式的な底面図
【図５】本発明に係る一実施形態のＬＥＤ照明器具における第２動作を説明するリモコン送信器の平面図を含む模式的な底面図
【図６】本発明に係る一実施形態のＬＥＤ照明器具における第３動作を説明するリモコン送信器の平面図を含む模式的な底面図
【図７】本発明に係る一実施形態のＬＥＤ照明器具における第４動作を説明するリモコン送信器の平面図を含む模式的な底面図
【図８】本発明に係る一実施形態のＬＥＤ照明器具における第５動作を説明するリモコン送信器の平面図を含む模式的な底面図
【図９】本発明に係る一実施形態のＬＥＤ照明器具における第６動作を説明するリモコン送信器の平面図を含む模式的な底面図
【図１０】本発明に係る一実施形態のＬＥＤ照明器具における第７動作を説明するリモコン送信器の平面図を含む模式的な底面図
【図１１】本発明に係る一実施形態のＬＥＤ照明器具における第８動作を説明するリモコン送信器の平面図を含む模式的な底面図
【図１２】本発明に係る一実施形態のＬＥＤ照明器具における第９動作を説明するリモコン送信器の平面図を含む模式的な底面図
【図１３】本発明に係る一実施形態のＬＥＤ照明器具における第１０動作を説明するリモコン送信器の平面図を含む模式的な底面図
【図１４】本発明に係る一実施形態のＬＥＤ照明器具の変形例の斜め下方から視た外観斜視図
【図１５】本発明に係る一実施形態のＬＥＤ照明器具の変形例の底面図
【発明を実施するための形態】
【００１１】
以下、本発明に係る一実施形態のＬＥＤ照明器具について図面を参照して説明する。
図１に示すように、本発明に係る一実施形態のＬＥＤ照明器具１０は、ＬＥＤ照明器具本体１１に、四角形に形成された筺体１２と、第１ＬＥＤユニット１３と、第２ＬＥＤユニット１４と、第３ＬＥＤユニット１５と、第４ＬＥＤユニット１６と、第１ＬＥＤユニット１３、第２ＬＥＤユニット１４、第３ＬＥＤユニット１５、第４ＬＥＤユニット１６に調光制御信号を与える調光制御回路部１７とを備え、リモコン送信器１８に、明ボタン１９と、暗ボタン２０と、第１方向選択ボタン２１と、第２方向選択ボタン２２と、第３方向選択ボタン２３と、第４方向選択ボタン２４と、方向解除ボタン２５とを備える。
【００１２】
第１ＬＥＤユニット１３および第３ＬＥＤユニット１５と、第２ＬＥＤユニット１４および第４ＬＥＤユニット１６とは、それぞれが筺体１２の下面に対向して配置される。
第１ＬＥＤユニット１３は点灯されることにより第１照明領域Ａを照明し、第３ＬＥＤユニット１４は点灯されることにより第１照明領域Ａに対向する第３照明領域Ｃを照明する。
第２ＬＥＤユニット１４は点灯されることにより第２照明領域Ｂを照明し、第４ＬＥＤユニット１６は点灯されることにより第２照明領域Ｂに対向する第４照明領域Ｄを照明する。
【００１３】
リモコン送信器１８は、明ボタン１９が押下されることにより明調光制御信号が無段階で発信され、暗ボタン２０が押下されることにより暗調光制御信号が無段階で発信される。
リモコン送信器１８は、第１方向選択ボタン２１が押下されることにより第１方向選択信号が発信され、第２方向選択ボタン２２が押下されることにより第２方向選択信号が発信される。
リモコン送信器１８は、第３方向選択ボタン２３が押下されることにより第３方向選択信号が発信され、第４方向選択ボタン２４が押下されることにより第４方向選択信号が発信される。
リモコン送信器１８は、方向解除ボタン２５が押下されることにより方向解除信号が発信される。
【００１４】
第１方向選択ボタン２１と、第２方向選択ボタン２２と、第３方向選択ボタン２３と、第４方向選択ボタン２４とは、主ボタンであって、放射状に配置される。
従って、使用者がリモコン送信器１８を手で握った際に、第１方向選択ボタン２１と、第２方向選択ボタン２２と、第３方向選択ボタン２３と、第４方向選択ボタン２４とが指定方向を認識しやすい位置にあるために、所望の方向を間違えることなく選択できる。
【００１５】
方向解除ボタン２５は、第１方向選択ボタン２１と、第２方向選択ボタン２２と、第３方向選択ボタン２３と、第４方向選択ボタン２４とは独立した副ボタンである。この方向解除ボタン２５は、第１方向選択ボタン２１と、第２方向選択ボタン２２と、第３方向選択ボタン２３と、第４方向選択ボタン２４との中央部に配置される。
この方向解除ボタン２５は、押下されることにより、第１方向選択ボタン２１と、第２方向選択ボタン２２と、第３方向選択ボタン２３と、第４方向選択ボタン２４とが発信した各方向選択信号を解除する。
従って、方向解除ボタン２５が独立して中央部に配置されるために、第１方向選択ボタン２１と、第２方向選択ボタン２２と、第３方向選択ボタン２３と、第４方向選択ボタン２４と比べて押下しやすい位置に配置されているので、方向選択の解除を簡単にできる。
【００１６】
図２および図３に示すように、ＬＥＤ照明器具本体１１は、筺体１２の下面に、予め定められた高さ寸法を有してしきり板２６を備え、このしきり板２６の中央に受光ユニット２７を備える。しきり板２６は、第１照明領域Ａ、第２照明領域Ｂ、第３照明領域Ｃ、第４照明領域Ｄに対応して、第１ＬＥＤユニット１３と、第２ＬＥＤユニット１４と、第３ＬＥＤユニット１５と、第４ＬＥＤユニット１６とのそれぞれの端部を結ぶ対角線上に配置されている。
【００１７】
受光ユニット２７は、しきり板２６により限定された第１照明領域Ａに対応する第１受光領域Ｅからのみの強い信号を受信する第１受光素子２８と、しきり板２６により限定された第２照明領域Ｂに対応する第２受光領域Ｆからのみの強い信号を受信する第２受光素子２９とを有する。
受光ユニット２７は、しきり板２６により限定された第３照明領域Ｃに対応する第３受光領域Ｇからのみの強い信号を受信する第３受光素子３０と、しきり板２６により限定された第４照明領域Ｄに対応する第４受光領域Ｈからのみの強い信号を受信する第４受光素子３１とを有する。
【００１８】
調光制御回路部１７は、リモコン送信器１８から受光ユニット２７に受光された際に、それらの信号を処理する。
リモコン送信器１８は、明ボタン１９が押下された際に明調光制御信号を発信する。リモコン送信器１８は、暗ボタン２０が押下された際に暗調光制御信号を発信する。リモコン送信器１８は、第１方向選択ボタン２１が押下された際に第１方向選択信号を発信する。リモコン送信器１８は、第２方向選択ボタン２２が押下された際に第２方向選択信号を発信する。リモコン送信器１８は、第３方向選択ボタン２３が押下された際に第３方向選択信号を発信する。リモコン送信器１８は、第４方向選択ボタン２４が押下された際に第４方向選択信号を発信する。リモコン送信器１８は、方向解除ボタン２５が押下された際に方向解除信号を発信する。
【００１９】
調光制御回路部１７は、リモコン送信器１８において、第１方向選択信号、第２方向選択信号、第３方向選択信号、第４方向選択信号が受光された領域が、第１受光領域Ｅ、第２受光領域Ｆ、第３受光領域Ｇ、第４受光領域Ｈのうちのいずれなのかに応じて論理処理を行う。
第１方向選択信号は、第１方向選択ボタン２１が押下された際に発信される。第２方向選択信号は、第２方向選択ボタン２２が押下された際に発信される。第３方向選択信号は、第３方向選択ボタン２３が押下された際に発信される。第４方向選択信号は、第４方向選択ボタン２４が押下された際に発信される。
そして、調光制御回路部１７は、受光された単一の領域の対向する位置に配置されている第１ＬＥＤユニット１３と、第２ＬＥＤユニット１４と、第３ＬＥＤユニット１５と、第４ＬＥＤユニット１６とのいずれかを選択して調光制御する。
【００２０】
従って、調光制御回路部１７は、リモコン送信器１８から、任意の領域を特定する信号が送信された際に、受光ユニット２７の出力に基づいて調光制御する。
すなわち、リモコン送信器１８は、第１ＬＥＤユニット１３と、第２ＬＥＤユニット１４と、第３ＬＥＤユニット１５と、第４ＬＥＤユニット１６とのうちの任意の領域を特定する信号を送信する。
調光制御回路部１７は、第１ＬＥＤユニット１３と、第２ＬＥＤユニット１４と、第３ＬＥＤユニット１５と、第４ＬＥＤユニット１６とのうちの所定の領域のいずれかを調光制御する。つまり、調光制御回路部１７は、第１ＬＥＤユニット１３と、第２ＬＥＤユニット１４と、第３ＬＥＤユニット１５と、第４ＬＥＤユニット１６とのいずれかを調光制御する。
これにより、所定の領域毎に明るさを制御して、余分な消費電力を抑制して省エネルギー化を図って環境負荷を少なくできる。
【００２１】
次に、ＬＥＤ照明器具１０の具体的な動作例について説明する。
図４に示すように、リモコン送信器１８のうちの第１方向選択ボタン２１と、第２方向選択ボタン２２と、第３方向選択ボタン２３と、第４方向選択ボタン２４とのうちのいずれかが押下された際、以下のようにする。
すなわち、リモコン送信器１８により、第１方向選択信号と、第２方向選択信号と、第３方向選択信号と、第４方向選択信号とのいずれかが第３受光領域Ｇに対して強い信号Ｓ１となって送信される。信号Ｓ１が単一の第３受光素子３０により受光された場合、受光された第３受光素子３０の第３受光領域Ｇに対向する第１受光領域Ｅが第１方向選択ボタン２１に対応するように設定される。
従って、第１方向選択ボタン２１が押下されることにより、設定された第１照明領域Ａにおいて第１ＬＥＤユニット１３のみが調光制御され、他の第２ＬＥＤユニット１４と、第３ＬＥＤユニット１５と、第４ＬＥＤユニット１６とは調光制御されない。
【００２２】
図５に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
すなわち、リモコン送信器１８により、第１方向選択信号と、第２方向選択信号と、第３方向選択信号と、第４方向選択信号とのいずれかが第３受光領域Ｇおよび第４受光領域Ｈに対して強い信号Ｓ２となって送信される。信号Ｓ２が２個の第３受光素子３０および第４受光素子３１により受光された場合は、以下のようになる。受光された第３受光素子３０の第３受光領域Ｇおよび第４受光素子３１の第４受光領域Ｈに対向する第１受光領域Ｅおよび第２受光領域Ｆのうちの下位の第１受光領域Ｅが第１方向選択ボタン２１に対応するように設定される。
従って、第１方向選択ボタン２１が押下されることにより、設定された第１照明領域Ａにおいて第１ＬＥＤユニット１３のみが調光制御され、他の第２ＬＥＤユニット１４と、第３ＬＥＤユニット１５と、第４ＬＥＤユニット１６とは調光制御されない。
【００２３】
図６に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
すなわち、第１方向選択信号と、第２方向選択信号と、第３方向選択信号と、第４方向選択信号とのいずれかが第２受光領域Ｆおよび第３受光領域Ｇに対して強い信号Ｓ３となって送信される。信号Ｓ３が２個の第２受光素子２９および第３受光素子３０により受光された場合は、以下のようになる。受光された第２受光素子２９の第２受光領域Ｆおよび第３受光素子３０の第３受光領域Ｇに対向する第４受光領域Ｈおよび第１受光領域Ｅのうちの下位の第１受光領域Ｅが第１方向選択ボタン２１に対応するように設定される。
従って、第１方向選択ボタン２１が押下されることにより、設定された第１照明領域Ａにおいて第１ＬＥＤユニット１３のみが調光制御され、他の第２ＬＥＤユニット１４と、第３ＬＥＤユニット１５と、第４ＬＥＤユニット１６とは調光制御されない。
【００２４】
図７に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号とのいずれかが第１受光領域Ｅおよび第３受光領域Ｇに対して強い信号Ｓ４となって送信される。信号Ｓ４が２個の第１受光素子２８および第３受光素子３０により受光された場合は、以下のようになる。受光された第１受光素子２８の第１受光領域Ｅおよび第３受光素子３０の第３受光領域Ｇに対向する第３受光領域Ｇおよび第１受光領域Ｅのうちの下位の第１受光領域Ｅが第１方向選択ボタン２１に対応するように設定される。
従って、第１方向選択ボタン２１が押下されることにより、設定された第１照明領域Ａにおいて第１ＬＥＤユニット１３のみが調光制御され、他の第２ＬＥＤユニット１４と、第３ＬＥＤユニット１５と、第４ＬＥＤユニット１６とは調光制御されない。
【００２５】
図８に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号とのいずれかが第２受光領域Ｆおよび第４受光領域Ｈに対して強い信号Ｓ５となって送信される。信号Ｓ５が２個の第２受光素子２９および第４受光素子３１により受光された場合は、以下のようになる。受光された第２受光素子２９の第２受光領域Ｆおよび第４受光素子３１の第４受光領域Ｈに対向する第４受光領域Ｈおよび第２受光領域Ｆのうちの下位の第２受光領域Ｆが第１方向選択ボタン２１に対応するように設定される。
従って、第１方向選択ボタン２１が押下されることにより、設定された第２照明領域Ｂにおいて第２ＬＥＤユニット１４のみが調光制御され、他の第１ＬＥＤユニット１３と、第３ＬＥＤユニット１５と、第４ＬＥＤユニット１６とは調光制御されない。
【００２６】
図９に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号とのいずれかが第２受光領域Ｆと第３受光領域Ｇと第４受光領域Ｈとに対して強い信号Ｓ６となって送信される。信号Ｓ６が３個の第２受光素子２９と第３受光素子３０と第４受光素子３１とにより受光された場合は、以下のようになる。受光された第２受光素子２９の第２受光領域Ｆと第３受光素子３０の第３受光領域Ｇと第４受光素子３１の第４受光領域Ｈとの中央に配置されている第３受光領域Ｇに対向する第１受光領域Ｅが第１方向選択ボタン２１に対応するように設定される。
従って、第１方向選択ボタン２１が押下されることにより、設定された第１照明領域Ａにおいて第１ＬＥＤユニット１３のみが調光制御され、他の第２ＬＥＤユニット１４と、第３ＬＥＤユニット１５と、第４ＬＥＤユニット１６とは調光制御されない。
【００２７】
図１０に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号とのいずれかが第１受光領域Ｅと第２受光領域Ｆと第３受光領域Ｇとに対して強い信号Ｓ７となって送信される。信号Ｓ７が３個の第１受光素子２８と第２受光素子２９と第３受光素子３０とにより受光された場合は、以下のようになる。受光された第１受光素子２８の第１受光領域Ｅと第２受光素子２９の第２受光領域Ｆと第３受光素子３０の第３受光領域Ｇとの中央に配置されている第２受光領域Ｆに対向する第４受光領域Ｈが第１方向選択ボタン２１に対応するように設定される。
従って、第１方向選択ボタン２１が押下されることにより、設定された第４照明領域Ｄにおいて第４ＬＥＤユニット１６のみが調光制御され、他の第１ＬＥＤユニット１３と、第２ＬＥＤユニット１４と、第３ＬＥＤユニット１５とは調光制御されない。
【００２８】
図１１に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号とのいずれかが第３受光領域Ｇと第４受光領域Ｈと第１受光領域Ｅとに対して強い信号Ｓ８となって送信される。信号Ｓ８が３個の第３受光素子３０と第４受光素子３１と第１受光素子２８とにより受光された場合は、以下のようになる。受光された第３受光素子３０の第３受光領域Ｇと第４受光素子３１の第４受光領域Ｈと第１受光素子２８の第１受光領域Ｅとの中央に配置されている第４受光領域Ｈに対向する第２受光領域Ｆが第１方向選択ボタン２１に対応するように設定される。
従って、第１方向選択ボタン２１が押下されることにより、設定された第２照明領域Ｂにおいて第２ＬＥＤユニット１４のみが調光制御され、他の第１ＬＥＤユニット１３と、第３ＬＥＤユニット１５と、第４ＬＥＤユニット１６とは調光制御されない。
【００２９】
図１２に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号とのいずれかが第４受光領域Ｈと第１受光領域Ｅと第２受光領域Ｆとに対して強い信号Ｓ９となって送信される。信号Ｓ９が３個の第４受光素子３１と第１受光素子２８と第２受光素子２９とにより受光された場合は、以下のようになる。受光された第４受光素子３１の第４受光領域Ｈと第１受光素子２８の第１受光領域Ｅと第２受光素子２９の第２受光領域Ｆとの中央に配置されている第１受光領域Ｅに対向する第３受光領域Ｇが第１方向選択ボタン２１に対応するように設定される。
従って、第１方向選択ボタン２１が押下されることにより、設定された第３照明領域Ｃにおいて第３ＬＥＤユニット１５のみが調光制御され、他の第１ＬＥＤユニット１３と、第２ＬＥＤユニット１４と、第４ＬＥＤユニット１６とは調光制御されない。
【００３０】
図１３に示すように、リモコン送信器１８のうちの第１方向選択ボタン２１と、第２方向選択ボタン２２と、第３方向選択ボタン２３と、第４方向選択ボタン２４とのいずれかが押下された際、以下のようにする。
第１方向選択信号と、第２方向選択信号と、第３方向選択信号と、第４方向選択信号が第１受光領域Ｅと第２受光領域Ｆと第３受光領域Ｇと第４受光領域Ｈとに対して強い信号Ｓ１０となって送信される。信号Ｓ１０が４個の第１受光素子２８と第２受光素子２９と第３受光素子３０と第４受光素子３１とにより受光された場合は、以下のようになる。デフォルト値をもつ受光された第４受光素子３１の第４受光領域Ｈと第１受光素子２８の第１受光領域Ｅとして第１受光領域Ｅが第１方向選択ボタン２１に対応するように設定される。
【００３１】
従って、第１方向選択ボタン２１が押下されることにより、設定された第１照明領域Ａにおいて第１ＬＥＤユニット１３のみが調光制御され、他の第２ＬＥＤユニット１４と、第３ＬＥＤユニット１５と、第４ＬＥＤユニット１６とは調光制御されない。
なお、リモコン送信器１８の明ボタン１９または暗ボタン２０が押下されない場合、調光制御の対象となっている第１ＬＥＤユニット１３、第２ＬＥＤユニット１４、第３ＬＥＤユニット１５、第４ＬＥＤユニット１６のいずれかは解除される。また、第１方向選択ボタン２１と、第２方向選択ボタン２２と、第３方向選択ボタン２３と、第４方向選択ボタン２４とのいずれかが押下された後の、例えば５秒以内に次のボタン操作が行われない場合は以下のようになる。すなわち、第１ＬＥＤユニット１３、第２ＬＥＤユニット１４、第３ＬＥＤユニット１５、第４ＬＥＤユニット１６の選択は解除される。
【００３２】
図１４および図１５に示すように、ＬＥＤ照明器具１０の変形例は、第１ＬＥＤユニット４１および第４ＬＥＤユニット４４と、第２ＬＥＤユニット４２および第５ＬＥＤユニット４５と、第３ＬＥＤユニット４３および第６ＬＥＤユニット４６との６個のＬＥＤユニットが、それぞれが円形の筺体４７の下面に対向して配置される。
【００３３】
本変形例では、受光ユニット４８に、第１ＬＥＤユニット４１、第２ＬＥＤユニット４２、第３ＬＥＤユニット４３、第４ＬＥＤユニット４４、第５ＬＥＤユニット４５、第６ＬＥＤユニット４６に対応する不図示の三対の受光素子を備える。
【００３４】
以上、説明したように一実施形態のＬＥＤ照明器具１０によれば、リモコン送信器１８から、任意の領域を特定する信号が送信された際に、所定の領域毎に明るさを制御して、余分な消費電力を抑制して省エネルギー化を図って環境負荷を少なくできる。
任意の領域とは、第１ＬＥＤユニット１３と、第２ＬＥＤユニット１４と、第３ＬＥＤユニット１５と、第４ＬＥＤユニット１６とのうちのいずれかである。
また、明るさ制御とは、受光ユニット２７の出力に基づいて任意の領域のいずれかを調光制御することである。
【００３５】
また、一実施形態のＬＥＤ照明器具１０によれば、使用者がリモコン送信器１８を手で握った際に、第１方向選択ボタン２１と、第２方向選択ボタン２２と、第３方向選択ボタン２３と、第４方向選択ボタン２４とが指定方向を認識しやすい位置にあるために、所望の方向を間違えることなく選択できる。
【００３６】
そして、一実施形態のＬＥＤ照明器具１０によれば、方向解除ボタン２５が独立して中央部に配置されるために、第１方向選択ボタン２１と、第２方向選択ボタン２２と、第３方向選択ボタン２３と、第４方向選択ボタン２４と比べて押下しやすい位置に配置されているので、方向選択の解除を簡単にできる。
【００３７】
なお、本発明のＬＥＤ照明器具において筺体、各ＬＥＤユニット等は、前述した一実施形態に限定されるものでなく、適宜な変形や改良等が可能である。
【符号の説明】
【００３８】
１０  ＬＥＤ照明器具
１１  ＬＥＤ照明器具本体
１３、４１  第１ＬＥＤユニット（ＬＥＤ）
１４、４２  第２ＬＥＤユニット（ＬＥＤ）
１５、４３  第３ＬＥＤユニット（ＬＥＤ）
１６、４４  第４ＬＥＤユニット（ＬＥＤ）
１８  リモコン送信器
２１  第１方向選択ボタン（主ボタン）
２２  第２方向選択ボタン（主ボタン）
２３  第３方向選択ボタン（主ボタン）
２４  第４方向選択ボタン（主ボタン）
２５  方向解除ボタン（副ボタン）
２７、４８  受光ユニット（リモコン受信部）
４５  第５ＬＥＤユニット（ＬＥＤ）
４６  第６ＬＥＤユニット（ＬＥＤ）
【図１】
2012133973.tif 000003
【図２】
2012133973.tif 000004
【図３】
2012133973.tif 000005
【図４】
2012133973.tif 000006
【図５】
2012133973.tif 000007
【図６】
2012133973.tif 000008
【図７】
2012133973.tif 000009
【図８】
2012133973.tif 000010
【図９】
2012133973.tif 000011
【図１０】
2012133973.tif 000012
【図１１】
2012133973.tif 000013
【図１２】
2012133973.tif 000014
【図１３】
2012133973.tif 000015
【図１４】
2012133973.tif 000016
【図１５】
2012133973.tif 000017